(57)【要約】【課題】映像符号化装置に対する設定情報の再設定を容易に行うことが可能な映像伝送システム及び映像伝送方法を提供することにある。【解決手段】実施形態に係る映像伝送システムは、映像符号化装置と、映像復号化装置と、設定管理装置とを具備する。映像符号化装置は、映像信号の伝送に関する設定情報を格納する格納手段を有し、当該設定情報に基づいてカメラ装置から出力された映像信号を符号化して得られた符号化映像信号を送信する。映像復号化装置は、映像符号化装置によって送信された符号化映像信号を復号して得られた映像信号をモニタ装置に出力する。設定管理装置は、映像信号の伝送に関する設定情報を定期的に映像符号化装置に送信する。映像符号化装置は、設定管理装置によって送信された設定情報に基づいてカメラ装置から出力された映像信号を符号化して得られた符号化映像信号を送信する。【選択図】図１
2014053681.tif 000002
【特許請求の範囲】
【請求項１】
カメラ装置から出力された映像信号を伝送してモニタ装置に表示する映像伝送システムにおいて、
映像信号の伝送に関する設定情報を格納する格納手段を有し、当該設定情報に基づいて前記カメラ装置から出力された映像信号を符号化して得られた符号化映像信号を送信する映像符号化装置と、
前記映像符号化装置によって送信された符号化映像信号を受信し、当該符号化映像信号を復号して得られた映像信号を前記モニタ装置に出力する映像復号化装置と、
前記映像信号の伝送に関する設定情報を定期的に前記映像符号化装置に送信する設定管理装置と
を具備し、
前記映像符号化装置は、前記設定管理装置によって送信された設定情報を前記格納手段に格納し、当該設定情報に基づいて前記カメラ装置から出力された映像信号を符号化して得られた符号化映像信号を送信する
ことを特徴とする映像伝送システム。
【請求項２】
カメラ装置から出力された映像信号を伝送してモニタ装置に表示する映像伝送システムにおいて、
第１の伝送方式により映像信号を伝送する際の通信量が規定された第１の設定情報を格納する格納手段を有し、当該第１の設定情報に基づいて前記カメラ装置から出力された映像信号を符号化して得られた符号化映像信号を当該第１の伝送方式により送信する映像符号化装置と、
前記映像符号化装置によって送信された符号化映像信号を受信し、当該符号化映像信号を復号して得られた映像信号を前記モニタ装置に出力する映像復号化装置と、
前記第１の伝送方式を当該第１の伝送方式とは異なる第２の伝送方式に切り替えるための指示を出力する操作端末装置と、
前記操作端末装置によって出力された指示に基づいて、前記第２の伝送方式により映像信号を伝送する際の通信量が規定された第２の設定情報を送信する設定管理装置と
を具備し、
前記映像符号化装置は、前記設定管理装置によって送信された第２の設定情報を前記格納手段に格納し、当該第２の設定情報に基づいて前記カメラ装置から出力された映像信号を符号化して得られた符号化映像信号を前記第２の伝送方式により送信する
ことを特徴とする映像伝送システム。
【請求項３】
前記第１の伝送方式は、光伝送方式を含み、
前記第２の伝送方式は、無線伝送方式を含み、
前記第２の設定情報に規定される通信量は、前記第１の設定情報に規定される通信量より少ない
ことを特徴とする請求項２記載の映像伝送システム。
【請求項４】
前記操作端末装置は、前記光伝送方式において障害が発生した場合に、操作者の操作に応じて前記光伝送方式を前記無線伝送方式に切り替えるための指示を出力することを特徴とする請求項３記載の映像伝送システム。
【請求項５】
前記操作端末装置は、前記光伝送方式において発生した障害が復旧した場合に、前記操作者の操作に応じて前記無線伝送方式を前記光伝送方式に切り替えるための指示を更に出力し、
前記設定管理装置は、前記操作端末装置によって出力された前記無線伝送方式を前記光伝送方式に切り替えるための指示に基づいて、前記第１の設定情報を送信し、
前記映像符号化装置は、前記設定管理装置によって送信された第１の設定情報を前記格納手段に格納し、当該第１の設定情報に基づいて前記カメラ装置から出力された映像信号を符号化して得られた符号化映像信号を前記光伝送方式により送信する
ことを特徴とする請求項４記載の映像伝送システム。
【請求項６】
カメラ装置から出力された映像信号を伝送してモニタ装置に表示する映像伝送システムであって、映像信号の伝送に関する設定情報を格納する格納手段を有する映像符号化装置、映像復号化装置及び設定管理装置を備える映像伝送システムが実行する映像伝送方法であって、
前記映像符号化装置が、前記格納手段に格納されている設定情報に基づいて前記カメラ装置から出力された映像信号を符号化して得られた符号化映像信号を送信するステップと、
前記映像復号化装置が、前記送信された符号化映像信号を受信し、当該符号化映像信号を復号して得られた映像信号を前記モニタ装置に出力するステップと、
前記設定管理装置が、前記映像信号の伝送に関する設定情報を定期的に前記映像符号化装置に送信するステップと、
前記映像符号化装置が、前記送信された設定情報を前記格納手段に格納し、当該設定情報に基づいて前記カメラ装置から出力された映像信号を符号化して得られた符号化映像信号を送信するステップと
を具備することを特徴とする映像伝送方法。
【請求項７】
カメラ装置から出力された映像信号を伝送してモニタ装置に表示する映像伝送システムであって、第１の伝送方式により映像信号を伝送する際の通信量が規定された第１の設定情報を格納する格納手段を有する映像符号化装置、映像復号化装置、操作端末装置及び設定管理装置を備える映像伝送システムが実行する映像伝送方法であって、
前記映像符号化装置が、前記格納手段に格納されている第１の設定情報に基づいて前記カメラ装置から出力された映像信号を符号化して得られた符号化映像信号を前記第１の伝送方式により送信するステップと、
前記映像復号化装置が、前記送信された符号化映像信号を受信し、当該符号化映像信号を復号して得られた映像信号を前記モニタ装置に出力するステップと、
前記操作端末装置が、前記第１の伝送方式を当該第１の伝送方式とは異なる第２の伝送方式に切り替えるための指示を出力するステップと、
前記設定管理装置が、前記出力された指示に基づいて、前記第２の伝送方式により映像信号を伝送する際の通信量が規定された第２の設定情報を送信するステップと、
前記映像符号化装置が、前記送信された第２の設定情報を前記格納手段に格納し、当該第２の設定情報に基づいて前記カメラ装置から出力された映像信号を符号化して得られた符号化映像信号を前記第２の伝送方式により送信するステップと
を具備することを特徴とする映像伝送方法。
【発明の詳細な説明】
【技術分野】
【０００１】
本発明の実施形態は、映像伝送システム及び映像伝送方法に関する。
【背景技術】
【０００２】
一般的に、映像伝送システムにおいて映像を伝送する方式として、例えば光伝送方式が知られている。
【０００３】
この光伝送方式は、例えばカメラ装置、映像符号化装置、前段の光伝送装置、光ファイバケーブル、後段の光伝送装置、映像復号化装置及びモニタ装置を備えたＣＣＴＶ（Closed Circuit Television）システムで一般的に利用されている。
【０００４】
なお、このようなＣＣＴＶシステムにおいて利用される光伝送方式では、例えば光伝送における通信量（ビットレート）等が規定された設定情報が映像符号化装置に対して設定されており、当該光伝送は当該設定情報に基づいて行われる。
【先行技術文献】
【特許文献】
【０００５】
【特許文献１】特開２０１１−０７１９２０号公報
【特許文献２】特開２００８−０１１２１２号公報
【発明の概要】
【発明が解決しようとする課題】
【０００６】
ところで、上記した映像符号化装置に対して設定されている設定情報は、例えば当該映像符号化装置の電源断等により初期化（クリア）される場合がある。
【０００７】
このように設定情報が初期化された場合、映像符号化装置に対する設定情報の再設定（再入力）は、人手によって行う必要がある。これは、映像伝送システムの運用上不便である。
【０００８】
そこで、本発明が解決しようとする課題は、映像符号化装置に対する設定情報の再設定を容易に行うことが可能な映像伝送システム及び映像伝送方法を提供することにある。
【課題を解決するための手段】
【０００９】
実施形態によれば、カメラ装置から出力された映像信号を伝送してモニタ装置に表示する映像伝送システムが提供される。
【００１０】
実施形態に係る映像伝送システムは、映像符号化装置と、映像復号化装置と、設定管理装置とを具備する。
【００１１】
映像符号化装置は、映像信号の伝送に関する設定情報を格納する格納手段を有し、当該設定情報に基づいて前記カメラ装置から出力された映像信号を符号化して得られた符号化映像信号を送信する。
【００１２】
映像復号化装置は、前記映像符号化装置によって送信された符号化映像信号を受信し、当該符号化映像信号を復号して得られた映像信号を前記モニタ装置に出力する。
【００１３】
設定管理装置は、前記映像信号の伝送に関する設定情報を定期的に前記映像符号化装置に送信する。
【００１４】
映像符号化装置は、前記設定管理装置によって送信された設定情報を前記格納手段に格納し、当該設定情報に基づいて前記カメラ装置から出力された映像信号を符号化して得られた符号化映像信号を送信する。
【図面の簡単な説明】
【００１５】
【図１】第１の実施形態に係る映像伝送システムを示す模式図。
【図２】本実施形態に係る映像伝送システムによって実行される映像伝送処理の処理手順を示すフローチャート。
【図３】本実施形態に係る映像伝送システムによって実行される映像伝送処理を概念的に示す模式図。
【図４】本実施形態に係る映像伝送システムによって実行される設定管理処理の処理手順を示すフローチャート。
【図５】本実施形態に係る映像伝送システムによって実行される設定管理処理を概念的に示す模式図。
【図６】第２の実施形態に係る映像伝送システムを示す模式図。
【図７】本実施形態に係る映像伝送システムによって実行される光伝送方式による映像伝送処理の処理手順を示すフローチャート。
【図８】本実施形態に係る映像伝送システムによって実行される光伝送方式による映像伝送処理を概念的に示す模式図。
【図９】本実施形態に係る映像伝送システムによって実行される無線伝送方式による映像伝送処理の処理手順を示すフローチャート。
【図１０】本実施形態に係る映像伝送システムによって実行される無線伝送方式による映像伝送処理を概念的に示す模式図。
【発明を実施するための形態】
【００１６】
以下、図面を参照して、各実施形態について説明する。
【００１７】
（第１の実施形態）
図１は、第１の実施形態に係る映像伝送システムを示す模式図である。映像伝送システムは、カメラ装置から出力された映像信号を例えば光伝送方式により伝送してモニタ装置に表示する例えばＣＣＴＶ（Closed Circuit Television）システムである。
【００１８】
図１に示すように、本実施形態に係る映像伝送システムは、カメラ装置１、映像符号化装置２、ＬＡＮスイッチ３、光伝送装置４、光ファイバケーブル５、光伝送装置６、ＬＡＮスイッチ７、映像復号化装置８、モニタ装置９及び設定管理装置（管理サーバ）１０を備える。
【００１９】
カメラ装置１は、映像符号化装置２と接続されている。カメラ装置１は、例えば防犯または防災等の様々な目的のために設置されたカメラを含み、当該カメラによって撮影された映像信号を映像符号化装置２に出力する。
【００２０】
映像符号化装置２は、ＬＡＮスイッチ３を介して光伝送装置４と接続されている。また、映像符号化装置２は、映像信号の伝送に関する設定情報を格納する格納部（図示せず）を有する。この格納部に格納されている設定情報には、例えば映像信号を伝送する際の通信量等が規定されている。映像符号化装置２は、格納部に格納されている設定情報に基づいてカメラ装置１から出力された映像信号を符号化して得られた符号化映像信号である電気信号を光伝送装置４に送信する。
【００２１】
ＬＡＮスイッチ３は、映像符号化装置２によって送信された符号化映像信号を光伝送装置４に送信する。
【００２２】
光伝送装置４は、光ファイバケーブル５を介して光伝送装置６と光伝送方式により通信が可能となるように接続されている。光伝送装置４は、ＬＡＮスイッチ３を介して映像符号化装置２から送信された電気信号を光信号に変換し、当該光信号を光伝送方式により光伝送装置６に送信する。
【００２３】
光ファイバケーブル５は、例えば光伝送装置４と光伝送装置６とを光伝送方式により通信可能に接続するための伝送路である。
【００２４】
光伝送装置６は、ＬＡＮスイッチ７を介して映像復号化装置８と接続されている。光伝送装置６は、光伝送装置４から送信された光信号を電気信号に変換し、当該電気信号（符号化映像信号）を映像復号化装置８に送信する。
【００２５】
ＬＡＮスイッチ７は、光伝送装置６によって送信された電気信号である符号化映像信号を映像復号化装置８に送信する。
【００２６】
映像復号化装置８は、映像符号化装置２の格納部に格納されている設定情報に対応する設定情報（映像信号の伝送に関する設定情報）を格納する格納部を有する。映像復号化装置８は、ＬＡＮスイッチ７を介して光伝送装置６から送信された符号化映像信号を受信し、格納部に格納されている設定情報に基づいて当該符号化映像信号を復号して得られた映像信号を出力する。
【００２７】
モニタ装置９は、映像復号化装置８と接続されており、当該映像復号化装置８から出力された映像信号を表示する。
【００２８】
設定管理装置１０には、映像符号化装置２に対応した設定情報（つまり、映像信号の伝送に関する設定情報）が予め保持されている。設定管理装置１０は、予め保持されている設定情報を、上記したＬＡＮスイッチ７、光伝送装置６、光ファイバケーブル５、光伝送装置４及びＬＡＮスイッチ３を介して映像符号化装置２に送信する。なお、設定管理装置１０は、設定情報を定期的に送信する。設定管理装置１０によって送信された設定情報は、映像符号化装置２によって受信され、当該映像符号化装置２の格納部に格納される。
【００２９】
以下、本実施形態に係る映像伝送システムの動作について説明する。本実施形態に係る映像伝送システムは、映像伝送処理及び設定管理処理を実行する。
【００３０】
まず、図２のフローチャート及び図３の模式図を参照して、本実施形態に係る映像伝送システムによって実行される映像伝送処理について説明する。図２のフローチャートは映像伝送処理の処理手順を示し、図３の模式図は当該映像伝送処理を概念的に示している。
【００３１】
映像符号化装置２は、当該映像符号化装置２の格納部に格納されている設定情報に基づいて、上記したカメラ装置１から出力された映像信号を符号化する（ステップＳ１）。具体的には、映像符号化装置２は、設定情報に規定されている通信量で映像信号を伝送するようにカメラ装置１から出力された映像信号を符号化・ＩＰ化する。
【００３２】
次に、映像符号化装置２は、映像信号の符号化により得られた符号化映像信号を映像符号化装置８に送信する（ステップＳ２）。この場合、映像符号化装置２によって送信された符号化映像信号は、光伝送装置４において光信号に変換されて光ファイバケーブル５を介して光伝送装置６に送信される。また、光伝送装置４から送信された光信号は、光伝送装置６において電気信号である符号化映像信号に変換されて映像復号化装置８に送信される。
【００３３】
映像復号化装置８は、光伝送装置６によって送信された符号化映像信号受信し、当該受信された符号化映像信号を復号する（ステップＳ３）。これにより、映像復号化装置８は、映像信号を取得する。
【００３４】
映像復号化装置８によって取得された映像信号は、モニタ装置９に出力され、当該モニタ装置９に表示される（ステップＳ４）。
【００３５】
本実施形態に係る映像伝送システムにおいては、上記したような映像伝送処理が実行されることによって、カメラ装置１から出力された映像信号が伝送されてモニタ装置９に表示される。
【００３６】
次に、図４のフローチャート及び図５の模式図を参照して、本実施形態に係る映像伝送システムによって実行される設定管理処理について説明する。図４のフローチャートは設定管理処理の処理手順を示し、図５の模式図は設定管理処理を概念的に示している。なお、この設定管理処理は、上記した映像伝送処理とは独立して実行される処理である。
【００３７】
ここで、設定管理装置１０には、上記したように映像符号化装置２に対応する設定情報が予め保持されているものとする。この設定管理装置１０に予め保持されている設定情報は、例えば映像信号を伝送する際の通信量等が規定された映像信号の伝送に関する情報であり、上記した映像符号化装置２の格納部に格納（設定）されている設定情報と同じものである。
【００３８】
設定管理装置１０は、当該設定管理装置１０において予め保持されている映像符号化装置２に対応する設定情報を取得する（ステップＳ１１）。
【００３９】
設定管理装置１０は、取得された設定情報を映像符号化装置２に送信する（ステップＳ１２）。詳細については省略するが、設定情報は、例えばＬＡＮスイッチ７、光伝送装置６、光ファイバケーブル５、光伝送装置４及びＬＡＮスイッチ３を介して映像符号化装置２に送信される。
【００４０】
映像符号化装置２は、設定管理装置１０によって送信された設定情報を受信する。映像符号化装置２は、受信された設定情報を、当該映像符号化装置２の格納部に格納する（ステップＳ１３）。具体的には、映像符号化装置２は、受信された設定情報を、格納部内の設定情報が格納されている領域に上書きする。
【００４１】
このように設定情報が上書きされた場合、以降の映像伝送処理においては、当該上書きされた設定情報が用いられる。
【００４２】
なお、上記した設定管理処理は、定期的に（例えば、１０分間隔で）実行される。これにより、本実施形態においては、上記した設定管理処理が実行される間隔で自動的に映像符号化装置２（の格納部）に設定情報が再設定される。
【００４３】
上記したように本実施形態においては、設定管理装置１０が映像信号の伝送に関する設定情報を定期的に映像符号化装置２に送信し、映像符号化装置２が当該設定情報を格納部に格納し、当該設定情報に基づいてカメラ装置から出力された映像信号を符号化して得られた符号化映像信号を送信する構成により、映像符号化装置２の格納部に格納されていた設定情報が例えば当該映像符号化装置２の電源断により初期化（クリア）された場合であっても、人手で再設定等を行うことなく、自動的に正しい設定情報を映像符号化装置２に対して設定することが可能となる。
【００４４】
なお、本実施形態においては、設定管理装置１０が映像符号化装置２の格納部に格納されている設定情報と同じものを送信するものとして説明したが、例えば映像符号化装置２の格納部に格納されている設定情報を変更する場合には、当該変更された設定情報を設定管理装置１０が送信することによって容易に当該映像符号化装置２内に設定されている設定情報を変更することが可能となる。
【００４５】
更に、本実施形態においては便宜的に映像符号化装置２等が１つであるものとして説明したが、例えばカメラ装置１が複数設けられているような場合、映像伝送システムには当該カメラ装置１毎に映像符号化装置２、ＬＡＮスイッチ３及び光伝送装置４が備えられる。この場合、設定管理装置１０には映像伝送システムに備えられている映像符号化装置２の各々に対応する設定情報が予め用意され、当該映像符号化装置２の各々に対応する設定情報が定期的に当該映像符号化装置２に送信されればよい。
【００４６】
（第２の実施形態）
次に、第２の実施形態について説明する。図６は、本実施形態に係る映像伝送システムを示す模式図である。なお、前述した図１と同様の部分には同一参照符号を付してその詳しい説明を省略する。ここでは、図１と異なる部分について主に述べる。
【００４７】
本実施形態は、光伝送方式において用いられる光ファイバケーブル５に障害が発生した場合に無線伝送方式により映像信号を伝送する点が、前述した第１の実施形態とは異なる。
【００４８】
図６に示すように、本実施形態に係る映像伝送システムは、操作端末装置１１、設定管理装置１２、映像符号化装置１３、映像復号化装置１４、無線伝送装置１５及び無線伝送装置１６を備える。
【００４９】
操作端末装置１１は、例えば光ファイバケーブル５に障害が発生した場合に、操作者の操作に応じて光伝送方式（第１の伝送方式）を無線伝送方式（第２の伝送方式）に切り替えるための指示を出力する。
【００５０】
設定管理装置１２は、操作端末装置１１によって出力された指示に基づいて、無線伝送方式による映像信号の伝送に関する設定情報（第２の設定情報）を映像符号化装置１３及び映像復号化装置１４に送信する。映像符号化装置１３に送信される設定情報には、例えば無線伝送方式により映像信号を伝送する際の圧縮符号化方式及び通信量等が規定されている。また、映像復号化装置１４に送信される設定情報には、映像符号化装置１３に送信された設定情報に規定されている圧縮符号化方式が規定されている。なお、映像復号化装置１３及び映像復号化装置１４に送信される設定情報は、設定管理装置１２内に予め保持されている。以下、設定管理装置１２によって送信された無線伝送方式による映像信号の伝送に関する設定情報を無線伝送用設定情報と称する。
【００５１】
映像符号化装置１３は、光伝送方式による映像信号の伝送に関する設定情報を格納する格納部を有する。以下、光伝送方式による映像信号の伝送に関する設定情報を光伝送用設定情報と称する。なお、光伝送用設定情報には、光伝送方式により映像信号を伝送する際の圧縮符号化方式及び通信量が規定されている。
【００５２】
映像符号化装置１３は、設定管理装置１２によって無線伝送用設定情報が送信された場合、当該無線伝送用設定情報を当該映像符号化装置１３の格納部に格納する。つまり、映像符号化装置１３は、無線伝送用設定情報を、格納部に格納されている光伝送用設定情報に上書きする。この場合、映像符号化装置１３は、格納部に格納された無線伝送用設定情報に基づいてカメラ装置１から出力された映像信号を符号化して得られた符号化映像信号を無線伝送装置１５に送信する。
【００５３】
無線伝送装置１５は、映像符号化装置１３によって送信された符号化映像信号を、ＬＡＮスイッチ３を介して受信する。無線伝送装置１５は、無線伝送装置１６と無線通信可能に接続されており、受信された符号化映像信号を無線伝送装置１６に無線通信方式により送信する。
【００５４】
無線伝送装置１６は、無線伝送装置１５によって送信された符号化映像信号を受信し、当該受信された符号化映像信号をＬＡＮスイッチ７を介して映像復号化装置１４に送信する。
【００５５】
なお、無線伝送装置１５及び無線伝送装置１６間における無線伝送方式によれば、他設備と回線が共有される。
【００５６】
映像復号化装置１４は、映像符号化装置１３の格納部に格納されている設定情報に対応する設定情報を格納する格納部を有する。映像復号化装置１４は、設定管理装置１２から無線伝送用設定情報が送信された場合、当該無線伝送用設定情報を当該映像復号化装置１４の内部（格納部）に格納する。
【００５７】
映像復号化装置１４は、格納部に格納された無線伝送用設定情報に基づいて無線伝送装置１６から送信された符号化映像信号を復号して得られた映像信号を出力する。なお、映像復号化装置１４によって出力された映像信号は、モニタ装置９によって表示される。
【００５８】
以下、本実施形態に係る映像伝送システムの動作について説明する。本実施形態に係る映像伝送システムは、光伝送方式による映像伝送処理及び無線伝送方式による映像伝送処理を実行する。
【００５９】
まず、図７のフローチャート及び図８の模式図を参照して、本実施形態に係る映像伝送システムによって実行される光伝送方式による映像伝送処理について説明する。図７のフローチャートは光伝送方式による映像伝送処理の処理手順を示し、図８の模式図は光伝送方式による映像伝送処理を概念的に示している。
【００６０】
なお、光伝送方式による映像伝送処理は、映像伝送システムにおける光ファイバケーブル５に障害が発生していない場合（つまり、光伝送方式による映像信号の伝送が可能な場合）に実行される。
【００６１】
この場合、映像符号化装置１３の格納部には、上記した光伝送用設定情報が格納されている。なお、映像符号化装置１３の格納部に格納されている光伝送用設定情報には、光伝送方式により映像信号を伝送する際の圧縮符号化方式及び通信量が規定されている。また、映像復号化装置１４の格納部には、映像符号化装置１３の格納部に格納されている光伝送用設定情報に対応する設定情報（光伝送用設定情報）が格納されている。なお、映像復号化装置１３の格納部に格納されている光伝送用設定情報には、光伝送方式により映像信号を伝送する際の圧縮符号化方式（及び通信量）が規定されている。
【００６２】
映像符号化装置１３は、上記したカメラ装置１から出力された映像信号を、映像符号化装置１３の格納部に格納されている光伝送用設定情報に基づいて符号化する（ステップＳ２１）。ここで、映像符号化装置１３の格納部に格納されている光伝送用設定情報において圧縮符号化方式としてＭＰＥＧ２方式、通信量として６Ｍｂｐｓが規定されているものとすると、映像符号化装置１３は、ＭＰＥＧ方式の６Ｍｂｐｓで伝送するように映像信号を符号化・ＩＰ化する。
【００６３】
次に、映像符号化装置１３は、映像信号の符号化により得られた符号化映像信号を、光伝送方式により映像復号化装置１４に送信する（ステップＳ２２）。この場合、映像符号化装置１３によって送信された符号化映像信号は、光伝送装置４において光信号に変換された光ファイバケーブル５を介して光伝送装置６に送信される。また、光伝送装置４から送信された光信号は、光伝送装置６において電気信号である符号化映像信号に変換されて映像復号化装置８に送信される。
【００６４】
映像復号化装置１４は、光伝送装置６によって送信された符号化映像信号を受信し、当該受信された符号化映像信号を復号する（ステップＳ２３）。これにより、映像復号化装置１４は、映像信号を取得する。
【００６５】
映像復号化装置１４によって取得された映像信号は、モニタ装置９に出力され、当該モニタ装置９によって表示される（ステップＳ２４）。
【００６６】
上記したような光伝送方式による映像伝送処理によれば、カメラ装置１から出力された映像信号が光伝送方式により伝送されてモニタ装置９に表示される。
【００６７】
次に、図９のフローチャート及び図１０の模式図を参照して、本実施形態に係る映像伝送システムによって実行される無線伝送方式による映像伝送処理について説明する。図９のフローチャートは無線伝送方式による映像伝送処理の処理手順を示し、図１０の模式図は無線伝送方式による映像伝送処理を概念的に示している。
【００６８】
なお、無線伝送方式による映像伝送処理は、光伝送方式による映像伝送処理が実行されている際に映像伝送システムにおける光ファイバケーブル５に障害が発生した場合（つまり、光伝送方式による映像信号の伝送が不可能になった場合）に実行される。ここでは、光伝送方式による映像伝送処理が実行されているものとし、映像符号化装置１３の格納部には、上記した光伝送用設定情報が格納されているものとする。同様に、映像復号化装置１４の格納部には、映像符号化装置１３の格納部に格納されている光伝送用設定情報に対応する設定情報（光伝送用設定情報）が格納されているものとする。
【００６９】
光伝送方式による映像伝送処理が実行されている際に光ファイバケーブル５に障害が発生した場合には、光伝送方式による映像信号の伝送が不可能となるため、モニタ装置９において映像断が発生する。
【００７０】
この場合、操作端末装置１１は、例えばモニタ装置９において映像断を確認した操作者の操作に応じて、光伝送方式を無線伝送方式に切り替えるための指示（つまり、伝送方式の切替指示）を出力する（ステップＳ３１）。この伝送方式の切替指示は、例えば操作端末装置１１の画面上に予め用意されている無線回線用のアイコンを選択する操作（当該アイコンをクリックする等の操作）が行われることによって操作端末装置１１から出力される。
【００７１】
ここで、設定管理装置１２には、映像符号化装置１３に対応する設定情報として、無線伝送用設定情報が予め保持されている。設定管理情報１０に予め保持されている無線伝送用設定情報には、無線伝送方式により映像信号を伝送する際の圧縮符号化方式及び通信量が規定されている。具体的には、設定管理装置１２には、圧縮符号化方式として例えばＭＪＰＥＧ方式、通信量として例えば３８４ｋｂｐｓが規定された無線伝送用設定情報が予め保持されている。なお、上記したように無線伝送方式では伝送容量の制約や他設備との回線の共有があることから、無線伝送用設定情報に規定されている通信量は、上述した光伝送用設定情報に規定されている通信量より少なくすることが好ましい。
【００７２】
また、設定管理装置１２には、映像復号化装置１４に対応する無線伝送用設定情報が予め保持されている。この映像復号化装置１４に対応する無線伝送用設定情報は、上記した映像符号化装置１３に対応する無線伝送用設定情報に対応する設定情報であり、例えば当該映像符号化装置１３に対応する無線伝送用設定情報に規定されている圧縮符号化方式等が規定されている。
【００７３】
設定管理装置１２は、操作端末装置１１によって出力された伝送方式の切替指示（つまり、設定変更を指示する信号）に基づいて、当該設定管理装置１２に予め保持されている無線伝送用設定情報（映像符号化装置１３及び映像復号化装置１４に対応する無線伝送用設定情報）を取得する（ステップＳ３２）。
【００７４】
設定管理装置１２は、取得された無線伝送用設定情報を映像符号化装置１３及び映像復号化装置１４の各々に送信する（ステップＳ３３）。ここでは、上記したように光ファイバケーブル５に障害が発生しているため、映像符号化装置１３に対応する無線伝送用設定情報は、無線伝送装置１６及び無線伝送装置１５を介して無線伝送方式により映像符号化装置１３に送信される。
【００７５】
上記したように映像符号化装置１３及び映像復号化装置１４に対して送信された無線伝送用設定情報は、それぞれ映像符号化装置１３及び映像復号化装置１４の格納部に格納される。なお、無線伝送用設定情報は、映像符号化装置１３及び映像復号化装置１４の格納部に格納されている光伝送用設定情報に上書きされる。
【００７６】
このように映像符号化装置１３及び映像復号化装置１４内の光伝送用設定情報が無線伝送用設定情報に書き換えられることにより、映像伝送システムにおいては無線伝送方式による映像信号の伝送が可能となる。
【００７７】
映像符号化装置１３の格納部において無線伝送用設定情報が格納された場合、映像符号化装置１３は、当該映像符号化装置１３の格納部に格納されている無線伝送用設定情報に基づいて、カメラ装置１から出力された映像信号を符号化する（ステップＳ３４）。ここで、上記したように映像符号化装置１３の格納部に格納されている無線伝送用設定情報において圧縮符号化方式としてＭＪＰＥＧ方式、通信量として３８４ｋｂｐｓが規定されているものとすると、映像符号化装置１３は、ＭＪＰＥＧ方式の３８４ｋｂｐｓで伝送するように映像信号を符号化する。
【００７８】
次に、映像符号化装置１３は、映像信号の符号化により得られた符号化映像信号を無線伝送方式により映像復号化装置１４に送信する（ステップＳ３５）。この場合、映像符号化装置１３によって送信された符号化映像信号は、無線伝送装置１５から無線回線経由で無線伝送装置１６に送信される。また、無線伝送装置１５によって送信された符号化映像信号は、無線伝送装置１６から映像復号化装置１４に送信される。
【００７９】
映像復号化装置１４は、無線伝送装置１６によって送信された符号化映像信号を受信し、当該受信された符号化映像信号を復号する（ステップＳ３６）。この場合、映像復号化装置１４は、当該映像復号化装置１４の格納部に格納されている無線伝送用設定情報（つまり、上記したように設定管理装置１２によって送信された無線伝送用設定情報）に基づいて復号処理を実行する。これにより、映像復号化装置１４は、映像信号を取得する。
【００８０】
映像復号化装置１４によって取得された映像信号は、モニタ装置９に出力され、当該モニタ装置９によって表示される（ステップＳ３７）。
【００８１】
上記した無線伝送方式による映像伝送処理によれば、光伝送方式に用いられる光ファイバケーブル５に障害が発生した場合に、映像符号化装置１３及び映像復号化装置１４内の光伝送方式による映像信号の伝送に関する設定情報（光伝送用設定情報）が無線伝送方式による映像信号の伝送に関する設定情報（無線伝送用設定情報）に更新（変更）され、カメラ装置１から出力された映像信号が無線伝送方式により伝送される。
【００８２】
なお、本実施形態においては、各設定情報に圧縮符号化方式及び通信量が規定されるものとして説明したが、伝送方式を切り替える際に圧縮符号化方式を変更しない場合には、設定情報に例えば通信量のみが規定されていてもよい。このように圧縮符号化方式を変更しない場合においては、伝送方式が切り替えられる際の映像復号化装置１４への設定情報の送信処理は省略されても構わない。
【００８３】
上記したように本実施形態においては、操作端末装置１１が光伝送方式を無線伝送方式に切り替えるための指示を出力し、設定管理装置１２が無線伝送方式を用いて映像を伝送する際の通信量が規定された無線伝送用設定情報を送信し、映像符号化装置１３が当該無線伝送用設定情報に基づいてカメラ装置１から出力された映像信号を符号化して得られた符号化映像信号を無線伝送方式により送信する構成により、例えば光ファイバケーブル５に障害が発生し、光伝送方式を無線伝送方式に切り替えて映像信号を伝送する場合であっても、人手で設定情報を変更することなく、当該無線伝送方式に適した通信量で当該映像信号を伝送することが可能となる。
【００８４】
また、本実施形態においては、光ファイバケーブル５に障害が発生した場合に光伝送方式を無線伝送方式に切り替える（変更する）ものとして説明したが、光ファイバケーブル５の障害が復旧した場合には無線伝送方式を光伝送方式に切り替えることも可能である。具体的には、設定管理装置１２において光伝送用設定情報（光伝送方式による映像信号の伝送に関する設定情報）を予め保持しておき、光ファイバケーブル５の障害が復旧した場合に操作端末装置１１から出力された指示に基づいて当該光伝送用設定情報が映像符号化装置１３及び映像復号化装置１４に送信されればよい。これにより、映像符号化装置１３及び映像復号化装置１４において無線伝送用設定情報が光伝送用設定情報に自動的に変更されるため、光ファイバケーブル５の障害が復旧した場合には光伝送方式に適した通信量で映像信号を伝送することができる。
【００８５】
つまり、本実施形態に係る映像伝送システムおいては、光ファイバケーブル５に障害が発生した場合には映像信号を伝送する際の通信量（ビットレート）を一時的に低くして通信を行い、当該光ファイバケーブル５の障害が復旧した場合には元の通信量に戻す等の動的な設定情報の変更（再設定）を容易に行うことが可能となる。
【００８６】
以上説明した各実施形態によれば、映像符号化装置に対する設定情報の再設定を容易に行うことが可能な映像伝送システム及び映像伝送方法を提供することができる。
【００８７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。  
【符号の説明】
【００８８】
１…カメラ装置、２，１３…映像符号化装置、３…ＬＡＮスイッチ、４…光伝送装置、５…光ファイバケーブル、６…光伝送装置、７…ＬＡＮスイッチ、８，１４…映像復号化装置、９…モニタ装置、１０，１２…設定管理装置、１１…操作端末装置、１５…無線伝送装置、１６…無線伝送装置。
【図１】
2014053681.tif 000003
【図２】
2014053681.tif 000004
【図３】
2014053681.tif 000005
【図４】
2014053681.tif 000006
【図５】
2014053681.tif 000007
【図６】
2014053681.tif 000008
【図７】
2014053681.tif 000009
【図８】
2014053681.tif 000010
【図９】
2014053681.tif 000011
【図１０】
2014053681.tif 000012